(57)【要約】【課題】電源をオフされた後でも、画像メモリに保存した画像データが失われないようにした画像読取装置を提供する。【解決手段】読み取った画像データを一時的に記憶する画像メモリ５と、電源操作部８ａと、電源操作部８ａで電源オフ操作がされたときに、電源オフする前に、画像メモリ５に記憶された画像データを所定のデータ退避装置７、２１、２２、２３に退避する退避制御手段１とを備えている【選択図】図１
2008263479.tif 000002
【特許請求の範囲】
【請求項１】
読み取った画像データを一時的に記憶する画像メモリと、電源操作部と、該電源操作部で電源オフ操作がされたときに、電源オフする前に、上記画像メモリに記憶された画像データを所定のデータ退避装置に退避する退避制御手段とを備えていることを特徴とする画像読取装置。
【請求項２】
請求項１において、
上記データ退避装置はネットワーク接続された外部装置である画像読取装置。
【請求項３】
請求項１において、
上記データ退避装置は内蔵されたディスク装置である画像読取装置。
【請求項４】
請求項１〜３のいずれかにおいて、
上記画像メモリは、複数のスキャンボックスに区分されており、
上記退避制御手段は、該スキャンボックスごとに対応付けされた退避先に退避するようにしている画像読取装置。
【請求項５】
請求項１〜４のいずれかにおいて、
上記退避制御手段は、画像メモリの退避を周期的に行う周期退避処理を、さらに実行するようにしている画像読取装置。
【発明の詳細な説明】
【技術分野】
【０００１】
本発明は、読み取った画像データを装置内に一時的に記憶しておく画像読取装置の改良に関するものである。
【背景技術】
【０００２】
従来の画像読取装置には、読み取った画像データを装置内の保存用の画像メモリに記憶しておき、ネットワーク接続されたパソコンなどの情報端末よりアクセスして、記憶保存しておいた画像データを取り出せるようにしたものがある。なお上記画像メモリはスキャンボックスと呼ばれ、複数ユーザに対応した複数のスキャンボックスよりなるものが知られている（例えば特許文献１）。
【特許文献１】特開２００２−２８１２１９号公報
【発明の開示】
【発明が解決しようとする課題】
【０００３】
しかしながら、画像データを保存する画像メモリは揮発性メモリで構成され、電池によるバックアップもないため、ＰＣからアクセスされることなく、電源オフされると画像データは失われ、再度画像読取しなければならなかった。
【０００４】
画像メモリも電池によるバックアップ対象とすればよいが、バックアップ電池の容量を増加させるか、他のバックアップ電池を付加する必要があり、コストが増大してしまう。そのため、電源オフとされても画像メモリが適切に保護できる他の方法が求められていた。
【０００５】
本発明は、上記事情を考慮して提案されたもので、その目的は、電源をオフされた後でも、画像メモリに保存した画像データが失われないようにした画像読取装置を提供することにある。
【課題を解決するための手段】
【０００６】
上記目的を達成するために、請求項１に記載の画像読取装置は、読み取った画像データを一時的に記憶する画像メモリと、電源操作部と、該電源操作部で電源オフ操作がされたときに、電源オフする前に、画像メモリに記憶された画像データを所定のデータ退避装置に退避する退避制御手段とを備えていることを特徴とする。
【０００７】
請求項２では、データ退避装置がネットワーク接続された外部装置である。
【０００８】
請求項３では、データ退避装置が内蔵されたディスク装置である。
【０００９】
請求項４では、画像メモリが複数のスキャンボックスに区分されており、退避制御手段はスキャンボックスごとに対応付けされた退避先に退避するようにしている。
【００１０】
請求項５では、退避制御手段は、画像メモリの退避および退避したメモリに記憶されたデータの消去を周期的に行う周期退避処理を、さらに実行するようにしている。
【発明の効果】
【００１１】
請求項１に記載の画像読取装置によれば、電源オフ操作がされたときに、電源オフする前に、画像メモリに記憶された画像データを所定のデータ退避装置に退避する構成であるため、電源オフ後も画像データを読み出して利用することができる。
【００１２】
請求項２に記載の画像読取装置によれば、画像データをネットワーク接続された外部装置に退避する構成であるため、その外部装置をそのまま画像データのバックアップ装置として利用できる。ディスク装置へ退避するよりも省電力で退避できる。
【００１３】
請求項３に記載の画像読取装置によれば、画像データを内蔵されたディスク装置に退避する構成であるため、他の退避装置を使用することなく装置内で保存でき、またメモリに再ロードすることも容易に行える。
【００１４】
請求項４に記載の画像読取装置によれば、画像データは複数に区分されたスキャンボックスごとに対応付けされた退避先に退避するようにしているため、例えばユーザごとにスキャンボックスを定義しておけば、画像データをユーザの所望の退避先に退避させることができる。
【００１５】
請求項５に記載の画像処理装置によれば、画像メモリの退避を周期的にも行うようにしているため、電源を長時間オフしない場合でも、画像メモリが一時保存の画像データでフルになることはなく、また周期退避しているため電源オフ時の退避処理も短時間で行える。
【発明を実施するための最良の形態】
【００１６】
以下に、本発明の実施の形態について、添付図面を参照しながら説明する。
【００１７】
図１は、本発明の画像読取装置の一例であるファクシミリ複合機の基本構成を示したブロック図である。なお、画像読取装置としてファクシミリ複合機を例示しているが、コピー機、ファクシミリ装置など、原稿を画像読取することが可能な装置であればよい。
【００１８】
この画像読取装置Ｆは、ＣＰＵ１、ＮＣＵ２、モデム３、原稿読取走査を行う読取部４、読み取った画像データを保存する画像メモリ５、時間を計時する計時手段６、ディスク装置７、操作部８、表示部９、ＲＯＭ１０、ＲＡＭ１１、プリンタ１２、ＬＡＮインターフェース１３を備えている。
【００１９】
また、同装置Ｆは、ＬＡＮインターフェース１３を介して、ＬＡＮに接続されたＦＴＰサーバ２１、共有フォルダを有したファイルサーバ２２、メールサーバ２３、ユーザパソコン（ＰＣ）２４と接続されている。
【００２０】
ＣＰＵ１は、各プログラムにしたがって、上記各部を制御するとともに、後述するように、種々のプログラムとともに画像データを所定のデータ退避装置に退避する退避制御手段を構成する。
【００２１】
ＮＣＵ２は、公衆回線Ｎに対する発信、着信の網制御を行い、モデム３は、送受信データの変調および復調を行う。これらにより、ファクシミリ送受信を実行する。
【００２２】
画像メモリ５は、揮発性メモリで構成され、読取部４で読み取った原稿の画像データを一時的に保存する領域で、ユーザごとに区分された複数のスキャンボックス（＃１〜＃ｎ）５ａを有している。
【００２３】
操作部８は、電源操作部８ａや各種スイッチ（不図示）を備えるほか、表示部９と兼用された操作表示パネル（ＬＣＤ）による操作手段も含んでいる。また表示部９はＬＥＤなどのランプも含んでいる。
【００２４】
ＲＯＭ１０は各種プログラムや定数データが保存され、ＲＡＭ１１は、後述する退避先を特定した退避先テーブル１１ａや各種設定データ、可変データが格納されている。退避先テーブル１１ａは、例えばスキャンボックス番号と退避先装置、メールアドレスなどを対応させたものが使用できる。
【００２５】
プリンタ１２は、読み取った画像や受信した画像を、手差しトレイやカセット等（不図示）にセットした記録紙に出力する動作を実行する。
【００２６】
この画像読取装置Ｆは、モデム３、ＮＣＵ２を介して、読取部４より読み取った画像データを相手先のファクシミリ装置（不図示）に対して送信するファクシミリ送信機能、画像データを受信し、受信した画像データを画像メモリ５に保存し、順次読み出して復号して、プリンタ１２によって印字出力するファクシミリ受信機能、読取部４より読み取った画像を画像メモリ５に保存し、プリンタ１２で印字出力する複写基本機能を備えている。
【００２７】
また、読取部４で読み取った画像データは、例えば、ユーザが読取時に入力したＩＤなどによりスキャンボックス（＃１〜＃ｎ）５ａに振分保存される。ＬＡＮに接続されたユーザパソコンは同装置Ｆをアクセスして、画像メモリ５に保存された画像データを読み込みできるようになっている。
【００２８】
同装置Ｆでは、このように画像メモリ５に保存された画像データを、少なくとも電源操作部８ａで電源オフ操作がされたときに、所定の退避先（データ退避装置）に退避するようにしている。退避先としては例えば、同装置Ｆが有するディスク装置７、ＬＡＮを介したＦＴＰサーバ２１、ファイルサーバ２２（共有フォルダ）、メールサーバ２３などが使用できる。また、リナックスサーバ（不図示）、ＵＮＩＸ（登録商標）サーバ（不図示）でもよい。
【００２９】
同装置Ｆは、電源オフ操作以外に、周期的に（例えば計時手段６の判断による正時ごとに）もデータ退避処理を行っている。
【００３０】
図２は、画像データ退避処理の一例を示すフローチャートである。
【００３１】
まず正時を判断した場合は、画像メモリ５のスキャンボックス５ａに保存された画像データをスキャンボックス５ａごとに、退避先テーブル１１ａの内容にしたがい退避先に退避する（以上、１０１〜１０５）。退避先は上述のように種々あるため、それにしたがって、ディスク装置７への保存、ＦＴＰサーバ２１、ファイルサーバ２２、メールサーバ２３へのファイル転送、メール送信などの退避処理が行われる。メール転送は、宛て先を各ユーザのメールアドレスとすればよい。
【００３２】
なお、いちど退避したデータについては、再度退避がされないように、退避済みサインなどで管理しておくことが望ましい。消去する構成としてもよい。
【００３３】
次に、電源オフ操作がされたときには、操作部８、表示部９に含まれるＬＣＤ、ＬＥＤの電源をオフし、ついで画像メモリ５のスキャンボックス５ａに保存された画像データをスキャンボックスごとに、退避先テーブル１１ａの内容にしたがい退避先に退避する（以上、１０１、１０６〜１０９）。退避先については正時の場合と同様であるが、退避済みサインがオンとなっているものは退避を行わない。全スキャンボックス（＃１〜＃ｎ）５ａの退避が終了すれば、装置の電源をオフする（１１０）。
【００３４】
電源オフによって、揮発性である画像メモリ５の内容は、その後の電源オンによっても保障されない。
【００３５】
なお本例では、データ退避処理の完了を待って電源をオフしているが、電源オフ操作後、データ退避処理の実行が確保できる所定時間の遅延後に電源オフしてもよい。
【００３６】
以上のように、電源がオフされると画像メモリ５のデータは失われるが、それまでに各スキャンボックス５ａに保存された画像データは所定の退避先に退避されるので、その退避装置をアクセスすれば再利用することができる。また、画像データは複数に区分されたスキャンボックス５ａごとに対応付けされた退避先に退避するようにしているため、例えばユーザごとにスキャンボックスを定義しておけば、画像データをユーザの所望の退避先に退避させることができる。
【００３７】
また、画像メモリ５の退避を周期的にも行うようにしているため、電源を長時間オフしない場合でも、画像メモリ５が一時保存の画像データでフルになることはなく、また周期退避しているため電源オフ時の退避処理も短時間で行える。
【図面の簡単な説明】
【００３８】
【図１】本発明の画像読取装置の一例であるファクシミリ複合機の基本構成を示したブロック図である。
【図２】画像データ退避処理の一例を示すフローチャートである。
【符号の説明】
【００３９】
１      ＣＰＵ（退避制御手段）
５      画像メモリ
５ａ      スキャンボックス
７      ディスク装置（データ退避装置）
８      操作部
８ａ      電源操作部
２１      ＦＴＰサーバ（データ退避装置、外部装置）
２２      ファイルサーバ（データ退避装置、外部装置）
２３      メールサーバ（データ退避装置、外部装置）
２４      パソコン
ＬＡＮ      ＬＡＮ
【図１】
2008263479.tif 000003
【図２】
2008263479.tif 000004